【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
共有無線周波数スペクトルバンドの第１のチャネルにアクセスするための第１のリッスンビフォアトーク（ＬＢＴ）プロシージャに関連するコンテンションウィンドウサイズを決定することと、
前記第１のチャネルまたは前記共有無線周波数スペクトルバンドの第２のチャネルを使用して送信されることになるデータに関するサービス優先順位またはチャネルのタイプのうちの１つまたは複数を決定することと、ここにおいて、前記コンテンションウィンドウサイズは、前記第１のチャネルの前記サービス優先順位または前記チャネルのタイプと、前記第２のチャネルの前記サービス優先順位または前記チャネルのタイプとの組合せに少なくとも部分的に基づいて決定される、
前記第２のチャネルにアクセスするための第２のＬＢＴプロシージャに対して前記コンテンションウィンドウサイズを適用することと、
を備える、方法。
【請求項２】
前記コンテンションウィンドウサイズは、より低いサービス優先順位を有するデータについてよりも、より高いサービス優先順位を有するデータについて、より短くなるように決定される、請求項１に記載の方法。
【請求項３】
前記コンテンションウィンドウサイズは、共有チャネルを使用して送信されるデータについてよりも、制御チャネルを使用して送信されることになるデータについて、より短くなるように決定される、請求項１に記載の方法。
【請求項４】
前記コンテンションウィンドウサイズは、チャネルコンディション情報なしの共有チャネルデータについてよりも、チャネルコンディション情報を含む共有チャネルデータについて、より短くなるように決定される、請求項３に記載の方法。
【請求項５】
前記第１のチャネルを使用して送信されることになるデータに関する前記サービス優先順位または前記チャネルのタイプのうちの１つまたは複数は、前記第２のチャネルを使用して送信されることになるデータに関する前記サービス優先順位または前記チャネルのタイプとは異なると決定すること
をさらに備える、請求項１に記載の方法。
【請求項６】
前記第２のチャネルは、前記第１のチャネルに比べて、より低いサービス優先順位またはより低い優先順位のうちの１つまたは複数を有する、請求項１に記載の方法。
【請求項７】
前記コンテンションウィンドウサイズは、ＬＢＴプロシージャがそれに対して実施されることになる前記共有無線周波数スペクトルバンドにおける利用可能なチャネルの数に少なくとも部分的に基づいて決定される、請求項６に記載の方法。
【請求項８】
前記コンテンションウィンドウサイズは、異なるサービス優先順位、異なるチャネルのタイプ、またはチャネルの数についての事前構成されたコンテンションウィンドウパラメータに少なくとも部分的に基づいて決定される、請求項６に記載の方法。
【請求項９】
前記コンテンションウィンドウサイズは、アップリンクグラントにおいてユーザ装置（ＵＥ）にシグナリングされる、請求項６に記載の方法。
【請求項１０】
基地局から１つまたは複数のユーザ装置（ＵＥ）へのダウンリンク送信のための前記第１のチャネルへのチャネルアクセスを得るために、前記第１のＬＢＴプロシージャを実施すること
をさらに備える、請求項１に記載の方法。
【請求項１１】
ユーザ装置（ＵＥ）から受信側基地局へのアップリンク送信のための前記第１のチャネルへのチャネルアクセスを得るために、前記第１のＬＢＴプロシージャを実施すること
をさらに備える、請求項１に記載の方法。
【請求項１２】
前記第１のＬＢＴプロシージャを前記実施することは、前記第１のチャネルおよび前記第２のチャネルについて同じＬＢＴプロシージャを実施することを備える、請求項１１に記載の方法。
【請求項１３】
前記第１のＬＢＴプロシージャを実施することは、
前記受信側基地局が前記第１のチャネルを予約していること、および少なくとも前記第２のチャネルは予約されていないことを決定すること
を備え、
前記方法は、前記第２のチャネルに対して前記第２のＬＢＴプロシージャを実施することをさらに備える、
請求項１１に記載の方法。
【請求項１４】
前記第１のチャネルおよび前記第２のチャネルに対して実施するべきＬＢＴプロシージャのタイプは、アップリンクグラントにおいて前記ＵＥにシグナリングされる、請求項１３に記載の方法。
【請求項１５】
前記第１のチャネルおよび前記第２のチャネルに対して実施するべきＬＢＴプロシージャのタイプは、前記受信側基地局以外の１つまたは複数の基地局の構成に基づいて決定される、請求項１３に記載の方法。
【請求項１６】
ＬＢＴプロシージャは、各予約されたチャネルに対しては実施されない、請求項１３に記載の方法。
【請求項１７】
前記第１のＬＢＴプロシージャを実施することは、
前記受信側基地局が前記第１のチャネルおよび前記第２のチャネルを予約していることを決定すること
を備え、
前記方法は、前記第２のチャネルに対して前記第２のＬＢＴプロシージャを実施することをさらに備える、
請求項１１に記載の方法。
【請求項１８】
前記第１のＬＢＴプロシージャについての前記コンテンションウィンドウサイズが、最小コンテンションウィンドウサイズに設定される、請求項１７に記載の方法。
【請求項１９】
ワイヤレス通信のための装置であって、
共有無線周波数スペクトルバンドの第１のチャネルにアクセスするための第１のリッスンビフォアトーク（ＬＢＴ）プロシージャに関連するコンテンションウィンドウサイズを決定するための手段と、
前記第１のチャネルまたは前記共有無線周波数スペクトルバンドの第２のチャネルを使用して送信されることになるデータに関するサービス優先順位またはチャネルのタイプのうちの１つまたは複数を決定するための手段と、ここにおいて、前記コンテンションウィンドウサイズは、前記第１のチャネルの前記サービス優先順位または前記チャネルのタイプと、前記第２のチャネルの前記サービス優先順位または前記チャネルのタイプとの組合せに少なくとも部分的に基づいて決定される、
前記第２のチャネルにアクセスするための第２のＬＢＴプロシージャに対して前記コンテンションウィンドウサイズを適用するための手段と、
を備える、装置。
【請求項２０】
ワイヤレス通信のための装置であって、
プロセッサと、
前記プロセッサと電子通信しているメモリと、
を備え、
前記プロセッサおよびメモリは、
共有無線周波数スペクトルバンドの第１のチャネルにアクセスするための第１のリッスンビフォアトーク（ＬＢＴ）プロシージャに関連するコンテンションウィンドウサイズを決定することと、
前記第１のチャネルまたは前記共有無線周波数スペクトルバンドの第２のチャネルを使用して送信されることになるデータに関するサービス優先順位またはチャネルのタイプのうちの１つまたは複数を決定することと、ここにおいて、前記コンテンションウィンドウサイズは、前記第１のチャネルの前記サービス優先順位または前記チャネルのタイプと、前記第２のチャネルの前記サービス優先順位または前記チャネルのタイプとの組合せに少なくとも部分的に基づいて決定される、
前記第２のチャネルにアクセスするための第２のＬＢＴプロシージャに対して前記コンテンションウィンドウサイズを適用することと、
を行うように構成される、
装置。
【請求項２１】
前記第１のチャネルを使用して送信されることになるデータに関する前記サービス優先順位または前記チャネルのタイプのうちの１つまたは複数は、前記第２のチャネルを使用して送信されることになるデータに関する前記サービス優先順位または前記チャネルのタイプとは異なる、請求項２０に記載の装置。
【請求項２２】
前記第２のチャネルは、前記第１のチャネルに比べて、より低いサービス優先順位またはより低い優先順位のチャネルのタイプのうちの１つまたは複数を有する、請求項２０に記載の装置。
【請求項２３】
前記コンテンションウィンドウサイズは、ＬＢＴプロシージャがそれに対して実施されることになる前記共有無線周波数スペクトルバンドにおける利用可能なチャネルの数に少なくとも部分的に基づいて決定される、請求項２２に記載の装置。
【請求項２４】
前記コンテンションウィンドウサイズは、異なるサービス優先順位、異なるチャネルのタイプ、またはチャネルの数についての事前構成されたコンテンションウィンドウパラメータに少なくとも部分的に基づいて決定される、請求項２２に記載の装置。
【請求項２５】
前記コンテンションウィンドウサイズは、アップリンクグラントにおいてユーザ装置（ＵＥ）にシグナリングされる、請求項２２に記載の装置。
【請求項２６】
前記プロセッサおよびメモリは、
基地局から１つまたは複数のユーザ装置（ＵＥ）へのダウンリンク送信のための前記第１のチャネルへのチャネルアクセスを得るために、前記第１のＬＢＴプロシージャを実施すること
を行うようにさらに構成される、請求項２０に記載の装置。
【請求項２７】
前記プロセッサおよびメモリは、
ユーザ装置（ＵＥ）から受信側基地局へのアップリンク送信のための前記第１のチャネルへのチャネルアクセスを得るために、前記第１のＬＢＴプロシージャを実施すること
を行うようにさらに構成される、請求項２０に記載の装置。
【請求項２８】
ワイヤレス通信のためのコードを記憶する非一時的なコンピュータ読み取り可能な媒体であって、前記コードは、少なくとも１つのプロセッサに、
共有無線周波数スペクトルバンドの第１のチャネルにアクセスするための第１のリッスンビフォアトーク（ＬＢＴ）プロシージャに関連するコンテンションウィンドウサイズを決定することと、
前記第１のチャネルまたは前記共有無線周波数スペクトルバンドの第２のチャネルを使用して送信されることになるデータに関するサービス優先順位またはチャネルのタイプのうちの１つまたは複数を決定することと、ここにおいて、前記コンテンションウィンドウサイズは、前記第１のチャネルの前記サービス優先順位または前記チャネルのタイプと、前記第２のチャネルの前記サービス優先順位または前記チャネルのタイプとの組合せに少なくとも部分的に基づいて決定される、
前記第２のチャネルにアクセスするための第２のＬＢＴプロシージャに対して前記コンテンションウィンドウサイズを適用することと、
を行わせるためのものである、非一時的なコンピュータ読み取り可能な媒体。
【手続補正２】
【補正対象書類名】明細書
【補正対象項目名】０１１３
【補正方法】変更
【補正の内容】
【０１１３】
[0122]  本明細書における説明は、当業者が本開示を製造するまたは使用することを可能にするために提供されている。本開示への様々な修正は、当業者にとって容易に明らかとなり、ここに定義された一般的な原理は、本開示の範囲から逸脱することなく、他のバリエーションにも適用され得る。したがって、本開示は、ここに説明された例および設計に限定されるべきではなく、ここに開示された原理および新規な特徴と一致する最も広い範囲を与えられるべきである。
以下に、本願の出願当初の特許請求の範囲に記載された発明を付記する。
［Ｃ１］
ワイヤレス通信のための方法であって、
共有無線周波数スペクトルバンドの第１のチャネルにアクセスするための第１のリッスンビフォアトーク（ＬＢＴ）プロシージャに関連するコンテンションウィンドウサイズを決定することと、
前記共有無線周波数スペクトルバンドの第２のチャネルにアクセスするための第２のＬＢＴプロシージャに対して前記コンテンションウィンドウサイズを適用することと、
を備える、方法。
［Ｃ２］
前記コンテンションウィンドウサイズを決定することは、
データに関するサービス優先順位またはチャネルタイプのうちの１つまたは複数が、前記第１のチャネルを使用して送信されることになるかどうかを決定すること
を備え、
前記方法は、前記サービス優先順位または前記チャネルタイプのうちの１つまたは複数が、前記第１のチャネルを使用して送信されることになると決定することに少なくとも部分的に基づいて、前記コンテンションウィンドウサイズを決定することをさらに備える、  Ｃ１に記載の方法。
［Ｃ３］
前記コンテンションウィンドウサイズは、より低いサービス優先順位を有するデータについてよりも、より高いサービス優先順位を有するデータについて、より短くなるように決定される、Ｃ２に記載の方法。
［Ｃ４］
前記コンテンションウィンドウサイズは、共有チャネルを使用して送信されるデータについてよりも、制御チャネルを使用して送信されることになるデータについて、より短くなるように決定される、Ｃ２に記載の方法。
［Ｃ５］
前記コンテンションウィンドウサイズは、チャネルコンディション情報なしの共有チャネルデータについてよりも、チャネルコンディション情報を含む共有チャネルデータについて、より短くなるように決定される、Ｃ４に記載の方法。
［Ｃ６］
前記第１のチャネルを使用して送信されることになるデータに関する前記サービス優先順位または前記チャネルタイプのまたはより多くは、前記第２のチャネルを使用して送信されることになるデータに関する前記サービス優先順位または前記チャネルタイプとは異なると決定すること
をさらに備える、Ｃ２に記載の方法。
［Ｃ７］
前記共有無線周波数スペクトルバンドの前記第２のチャネルは、前記第１のチャネルに比べて、より低いサービス優先順位またはより低い優先順位のうちの１つまたは複数を有し、ここにおいて、前記コンテンションウィンドウサイズは、前記第１のチャネルおよび前記第２のチャネルの各々の前記サービス優先順位または前記チャネルタイプの組合せに少なくとも部分的に基づいて決定される、Ｃ２に記載の方法。
［Ｃ８］
前記コンテンションウィンドウサイズは、ＬＢＴプロシージャがそれに対して実施されることになる前記共有無線周波数スペクトルバンドにおける利用可能なチャネルの数に少なくとも部分的に基づいて決定される、Ｃ７に記載の方法。
［Ｃ９］
前記コンテンションウィンドウサイズは、異なるサービス優先順位、異なるチャネルタイプ、またはチャネルの数についての事前構成されたコンテンションウィンドウパラメータに少なくとも部分的に基づいて決定される、Ｃ７に記載の方法。
［Ｃ１０］
前記コンテンションウィンドウサイズは、アップリンクグラントにおいてユーザ装置（ＵＥ）にシグナリングされる、Ｃ７に記載の方法。
［Ｃ１１］
基地局から１つまたは複数のユーザ装置（ＵＥ）へのダウンリンク送信のための前記第１のチャネルへのチャネルアクセスを得るために、前記第１のＬＢＴプロシージャを実施すること
をさらに備える、Ｃ１に記載の方法。
［Ｃ１２］
ユーザ装置（ＵＥ）から受信側基地局へのアップリンク送信のための前記第１のチャネルへのチャネルアクセスを得るために、前記第１のＬＢＴプロシージャを実施すること  をさらに備える、Ｃ１に記載の方法。
［Ｃ１３］
前記第１のＬＢＴプロシージャを前記実施することは、前記第１のチャネルおよび前記第２のチャネルについて同じＬＢＴプロシージャを実施することを備える、Ｃ１２に記載の方法。
［Ｃ１４］
前記第１のＬＢＴプロシージャを実施することは、
前記受信側基地局が前記第１のチャネルを予約していること、および少なくとも前記第２のチャネルは予約されていないことを決定すること
を備え、
前記方法は、前記第２のチャネルに対して前記第２のＬＢＴプロシージャを実施することをさらに備える、
Ｃ１２に記載の方法。
［Ｃ１５］
前記第１のチャネルおよび前記第２のチャネルに対して実施するべきＬＢＴプロシージャのタイプは、アップリンクグラントにおいて前記ＵＥにシグナリングされる、Ｃ１４に記載の方法。
［Ｃ１６］
前記第１のチャネルおよび前記第２のチャネルに対して実施するべきＬＢＴプロシージャのタイプは、前記受信側基地局以外の１つまたは複数の基地局の構成に基づいて決定される、Ｃ１４に記載の方法。
［Ｃ１７］
ＬＢＴプロシージャは、各予約されたチャネルに対しては実施されない、Ｃ１４に記載の方法。
［Ｃ１８］
前記第１のＬＢＴプロシージャを実施することは、
前記受信側基地局が前記第１のチャネルおよび前記第２のチャネルを予約していることを決定すること
を備え、
前記方法は、前記第２のチャネルに対して前記第２のＬＢＴプロシージャを実施することをさらに備える、
Ｃ１２に記載の方法。
［Ｃ１９］
前記第１のＬＢＴプロシージャについての前記コンテンションウィンドウサイズが、最小コンテンションウィンドウサイズに設定される、Ｃ１８に記載の方法。
［Ｃ２０］
ワイヤレス通信のための装置であって、
プロセッサと、
前記プロセッサと電子通信しているメモリと、
を備え、
前記プロセッサおよびメモリは、
共有無線周波数スペクトルバンドの第１のチャネルにアクセスするための第１のリッスンビフォアトーク（ＬＢＴ）プロシージャに関連するコンテンションウィンドウサイズを決定することと、
前記共有無線周波数スペクトルバンドの第２のチャネルにアクセスするための第２のＬＢＴプロシージャに対して前記コンテンションウィンドウサイズを適用することと、  を行うように構成される、
装置。
［Ｃ２１］
ワイヤレス通信のための装置であって、
共有無線周波数スペクトルバンドの第１のチャネルにアクセスするための第１のリッスンビフォアトーク（ＬＢＴ）プロシージャに関連するコンテンションウィンドウサイズを決定するための手段と、
前記共有無線周波数スペクトルバンドの第２のチャネルにアクセスするための第２のＬＢＴプロシージャに対して前記コンテンションウィンドウサイズを適用するための手段と、
を備える、装置。
［Ｃ２２］
データに関するサービス優先順位またはチャネルタイプのうちの１つまたは複数が、前記第１のチャネルを使用して送信されることになるかどうかを決定するための手段と、  １つまたは複数の前記サービス優先順位または前記チャネルタイプが、前記第１のチャネルを使用して送信されることになると決定することに少なくとも部分的に基づいて、前記コンテンションウィンドウサイズを決定するための手段と、
をさらに備える、Ｃ２１に記載の装置。
［Ｃ２３］
前記第１のチャネルを使用して送信されることになるデータに関する前記サービス優先順位または前記チャネルタイプのうちの１つまたは複数は、前記第２のチャネルを使用して送信されることになるデータに関する前記サービス優先順位または前記チャネルタイプとは異なる、Ｃ２２に記載の装置。
［Ｃ２４］
前記共有無線周波数スペクトルバンドの前記第２のチャネルは、前記第１のチャネルに比べて、より低いサービス優先順位またはより低い優先順位のチャネルタイプのうちの１つまたは複数を有し、ここにおいて、前記コンテンションウィンドウサイズは、前記第１のチャネルおよび前記第２のチャネルの各々の前記サービス優先順位または前記チャネルタイプの組合せに少なくとも部分的に基づいて決定される、Ｃ２２に記載の装置。
［Ｃ２５］
前記コンテンションウィンドウサイズは、ＬＢＴプロシージャがそれに対して実施されることになる前記共有無線周波数スペクトルバンドにおける利用可能なチャネルの数に少なくとも部分的に基づいて決定される、Ｃ２４に記載の装置。
［Ｃ２６］
前記コンテンションウィンドウサイズは、異なるサービス優先順位、異なるチャネルタイプ、またはチャネルの数についての事前構成されたコンテンションウィンドウパラメータに少なくとも部分的に基づいて決定される、Ｃ２４に記載の装置。
［Ｃ２７］
前記コンテンションウィンドウサイズは、アップリンクグラントにおいてユーザ装置（ＵＥ）にシグナリングされる、Ｃ２４に記載の装置。
［Ｃ２８］
基地局から１つまたは複数のユーザ装置（ＵＥ）へのダウンリンク送信のための前記第１のチャネルへのチャネルアクセスを得るために、前記第１のＬＢＴプロシージャを実施するための手段
をさらに備える、Ｃ２１に記載の装置。
［Ｃ２９］
ユーザ装置（ＵＥ）から受信側基地局へのアップリンク送信のための前記第１のチャネルへのチャネルアクセスを得るために、前記第１のＬＢＴプロシージャを実施するための手段
をさらに備える、Ｃ２１に記載の装置。
［Ｃ３０］
ワイヤレス通信のためのコードを記憶する非一時的なコンピュータ読み取り可能な媒体であって、前記コードは、少なくともプロセッサ上で、
共有無線周波数スペクトルバンドの第１のチャネルにアクセスするための第１のリッスンビフォアトーク（ＬＢＴ）プロシージャに関連するコンテンションウィンドウサイズを決定することと、
前記共有無線周波数スペクトルバンドの第２のチャネルにアクセスするための第２のＬＢＴプロシージャに対して前記コンテンションウィンドウサイズを適用することと、
を行わせるためのものである、非一時的なコンピュータ読み取り可能な媒体。